(57)【要約】【課題】  空気調和状況に対応した吹出パターンが簡略な構造で得られると共に、吹出方向を制限するにあたって気流に対する抵抗が小さく、騒音等も抑えられる吹出口装置を提供する。【解決手段】  吹出口本体２０とネック部１０との連結位置を吹出口本体２０連結面の中心位置からずらして偏心させ、偏心に基づいてネック部１０から吹出口本体２０内の所定吹出方向側流路部分への気流進行を起りにくくすることにより、前記吹出方向への吹出しを停止させられることとなり、吹出口本体２０に対するネック部１０連結位置の設定変更のみで、空気調和対象空間の吹出口配設位置ごとにあらかじめ与えられた条件に合致する気流の吹出方向及びその数を適切に決定でき、簡略な構造で部品点数を増やすこともなくコスト面で優れると共に、気流流路における障害物がなく、抵抗を少なくして発生騒音を少なくできる。【選択図】  図１
2005114243.tif 000002
【特許請求の範囲】
【請求項１】
ダクトと接続されて空気調和用の気体を供給される略円筒状のネック部と、当該ネック部と連通状態で連結される略方形箱状のチャンバー部及び当該チャンバー部の空気調和対象空間側に一体に取付けられて前記空気調和対象空間へ向けて拡開状となる略方形開口断面の外コーン部を有してなる吹出口本体と、当該吹出口本体内側の略方形開口領域に配設され、少なくとも吹出口本体の外コーン部内側面に対向する傾斜面を外周部分に有してなる気流案内手段とを備える吹出口装置において、
前記ネック部が、開口中心位置を前記吹出口本体チャンバー部のネック部連結面における中心位置に対し所定寸法ずらした配置で連結されることを
特徴とする吹出口装置。
【請求項２】
前記請求項１に記載の吹出口装置において、
前記吹出口本体が、前記ネック部連結部位となる略方形面に前記ネック部径より大きい開口孔を穿設され、
前記ネック部の連結側開口端部周囲に略鍔状のネック基板部が一体化されてなり、
前記吹出口本体の前記開口孔の範囲内に前記ネック部の開口領域を位置させ、吹出口本体の前記略方形面に前記ネック基板部が摺動自在に取付けられ、前記開口孔におけるネック部との連通部分以外の部位が気密を維持する状態で塞がれることを
特徴とする吹出口装置。
【請求項３】
前記請求項１又は２に記載の吹出口装置において、
前記ネック部が、前記吹出口本体チャンバー部の外周各辺寸法の約半分の径とされてなり、ネック部中心位置を吹出口本体チャンバー部のネック部連結面における中心位置に対して、吹出しを停止しようとする方向の吹出口本体チャンバー部の側部から遠ざける向きにネック部径の約３０％にあたる寸法だけずらして配置されることを
特徴とする吹出口装置。
【請求項４】
前記請求項１ないし３のいずれかに記載の吹出口装置において、
前記気流案内手段が、前記空気調和対象空間側へ拡開形状をなす複数の大きさの異なる略方形開口断面の羽根体を中心一致状態として一体に連結形成される中コーンとされてなり、
前記ネック部が、前記気流案内手段四隅の各コーナ部のうち対向する同士を結ぶ対角線で区分される前記気流案内手段の四つの領域のうち、吹出しを停止しようとする方向に向って各羽根体が傾斜している一又は二つの領域の上流側にネック部開口領域が重ならない配置とされて前記吹出口本体に連結されることを
特徴とする吹出口装置。
【発明の詳細な説明】
【技術分野】
【０００１】
本発明は、空気調和の対象となる空間に面して配置され、この空間に空気調和用の気体を吹出方向制限を伴う所定の吹出パターンで吹出せる吹出口装置に関する。
【背景技術】
【０００２】
空気調和設備において、ダクトを通じて送られる調和空気を室内空間に吹出す吹出口装置のうち、システム天井用として、ショートサーキット、ドラフト等の回避や、特定箇所への空気調和効果の集中を図るのを目的として、吹出方向を限定可能な吹出口装置が従来から一部使用されていた。こうした従来の吹出口装置の一例として、実登３０４８７０２号公報に記載されるものがあった。
【０００３】
この従来の吹出口装置は、調和空気を室内空間へ吹出す開口領域を有すると共に室内側開口周囲に矩形拡開状の外コーン部を形成されてなる開口枠体と、この開口枠体の開口領域内側に配設される気流案内部としての中コーンと、この中コーンの各外側面に一部を折曲角度調整自在とされて配設される気流偏向板と、前記開口枠体内部の中コーン上流側中央に配設されて外周寄りに気流を偏流させる偏流板とを備える構成であり、外コーン部と中コーンとの間に達した調和空気の気流が起立させた気流偏向板で遮られて脇に流れ、開口枠体の各コーナ部分から斜め方向に且つ下方へ傾いた向きへ広がりをもって室内に吹出す仕組みである。斜め方向への吹出のために天井付近への室内空気の誘引量が少なく、汚れた室内空気による天井面の汚染が発生しにくい上、システム天井の一部をなす吸込口が近傍に配設されても、コーナ部分からの斜め方向吹出しで天井吸込によるショートサーキット量が少ない等の特長がある。
この他、気流の吹出方向や吹出位置を調整可能とした吹出口装置も、従来から存在し、特開平１１−１３２５４３号公報にその一例が示されている。
【０００４】
この従来の他の吹出口装置は、調和空気を室内空間へ吹出す略矩形開口領域を有すると共に室内空間寄りの部分を拡開状に形成されてなる開口枠体と、この開口枠体の拡開部分内側面に対向する傾斜面をそれぞれ形成されて開口枠体の開口領域内に配設される気流案内手段と、切込み箇所を所定角度に折曲されて複数の気流偏向片とされてなる板状体で形成され、気流案内手段の上流側外面を覆う気流偏向板とを備える構成であり、気流案内手段上の気流偏向板における複数の気流偏向片の折曲の具合をそれぞれ調整することで、気流偏向片を折曲してできる孔部分を通過する気流の流量を調整したり、気流の沿う気流偏向片の角度が変わることで気流の吹出パターンを様々に得たりでき、空気調和能力が高い。また、気流案内手段の各傾斜面ごとに気流偏向板を折曲調整して気流案内手段と開口枠体との間の気流通路を開閉制御でき、所定の方向への吹出制限が容易に行え、様々な状況に対応できるという特長もある。
【特許文献１】実用新案登録第３０４８７０２号公報
【特許文献２】特開平１１−１３２５４３号公報
【発明の開示】
【発明が解決しようとする課題】
【０００５】
従来の吹出口装置は以上のように構成されており、吹出方向等の調整で空気調和の様々な状況に対応させることができたものの、前記特許文献のいずれの例でも、調整の主体となる気流偏向板が気流の流路内に存在しており、気流に対し一種の障害物として作用するため、風切り音等の騒音が発生しやすく、吹出口装置全体としての騒音レベルが高くなってしまうという課題を有していた。
また、吹出口装置の主要部分である開口枠体や気流案内手段（中コーン）に加えて、気流偏向板が部品として必要となるため、部品点数が増え、コスト高となるという課題を有していた。
【０００６】
本発明は前記課題を解消するためになされたもので、空気調和状況に対応した吹出パターンが簡略な構造で得られると共に、吹出方向を制限するにあたって気流に対する抵抗が小さく、騒音等も抑えられる吹出口装置を提供することを目的とする。
【課題を解決するための手段】
【０００７】
本発明に係る吹出口装置は、ダクトと接続されて空気調和用の気体を供給される略円筒状のネック部と、当該ネック部と連通状態で連結される略方形箱状のチャンバー部及び当該チャンバー部の空気調和対象空間側に一体に取付けられて前記空気調和対象空間へ向けて拡開状となる略方形開口断面の外コーン部を有してなる吹出口本体と、当該吹出口本体内側の略方形開口領域に配設され、少なくとも吹出口本体の外コーン部内側面に対向する傾斜面を外周部分に有してなる気流案内手段とを備える吹出口装置において、前記ネック部が、開口中心位置を前記吹出口本体チャンバー部のネック部連結面における中心位置に対し所定寸法ずらした配置で連結されるものである。
【０００８】
このように本発明においては、吹出口本体とネック部との連結位置を吹出口本体連結面の中心位置からずらして偏心させ、偏心に基づいてネック部から吹出口本体内の所定吹出方向側流路部分への気流進行を起りにくくすることにより、前記吹出方向への吹出しを停止させられることとなり、吹出口本体に対するネック部連結位置の設定変更のみで、空気調和対象空間の吹出口配設位置ごとにあらかじめ与えられた条件に合致する気流の吹出方向及びその数を適切に決定でき、簡略な構造で部品点数を増やすこともなくコスト面で優れると共に、気流流路における障害物がなく、抵抗を少なくして発生騒音を少なくできる。
【０００９】
また、本発明に係る吹出口装置は必要に応じて、前記吹出口本体が、前記ネック部連結部位となる略方形面に前記ネック部径より大きい開口孔を穿設され、前記ネック部の連結側開口端部周囲に略鍔状のネック基板部が一体化されてなり、前記吹出口本体の前記開口孔の範囲内に前記ネック部の開口領域を位置させ、吹出口本体の前記略方形面に前記ネック基板部が摺動自在に取付けられ、前記開口孔におけるネック部との連通部分以外の部位が気密を維持する状態で塞がれるものである。
【００１０】
このように本発明においては、吹出口本体チャンバー部のネック部連結面に開口孔を設ける一方、ネック部連結側端部周囲にネック基板部を配設し、ネック部配置位置をチャンバー部の開口孔の範囲でずらしても吹出口本体とネック部との連通部分以外で気密が維持されるようにし、吹出口本体に対してネック部位置をずらしてネック部の吹出口本体に対する偏心状態を任意に調整できることにより、ネック部を吹出口本体に取付けた後も気流の吹出方向やこの吹出方向の数を調整でき、且つ設定変更もネック部を動かすだけで複雑な操作が要らず、取扱性に優れる。
【００１１】
また、本発明に係る吹出口装置は必要に応じて、前記ネック部が、前記吹出口本体チャンバー部の外周各辺寸法の約半分の径とされてなり、ネック部中心位置を吹出口本体チャンバー部のネック部連結面における中心位置に対して、吹出しを停止しようとする方向の吹出口本体チャンバー部の側部から遠ざける向きにネック部径の約３０％にあたる寸法だけずらして配置されるものである。
【００１２】
このように本発明においては、ネック部、吹出口本体及びネック部偏心量の各寸法割合を適切に設定し、吹出口からの三方向吹出しとする場合は吹出しを行わない向きの一辺から、二方向吹出しとする場合は吹出しを行わない向きの二辺から、それぞれネック部を遠ざかる向きへ所定寸法ずらし、吹出口本体内への気流の進行状態を変えることにより、吹出口本体から三方向又は二方向の吹出しが確実に実現し、同じ吹出口で多様な吹出状態を設定できる。
【００１３】
また、本発明に係る吹出口装置は必要に応じて、前記気流案内手段が、前記空気調和対象空間側へ拡開形状をなす複数の大きさの異なる略方形開口断面の羽根体を中心一致状態として一体に連結形成される中コーンとされてなり、前記ネック部が、前記気流案内手段四隅の各コーナ部のうち対向する同士を結ぶ対角線で区分される前記気流案内手段の四つの領域のうち、吹出しを停止しようとする方向に向って各羽根体が傾斜している一又は二つの領域の上流側にネック部開口領域が重ならない配置とされて前記吹出口本体に連結されるものである。
【００１４】
このように本発明においては、気流案内手段を複数の拡開状羽根体からなる中コーンとし、この気流案内手段で四つに区分される各吹出方向への案内部分のいずれかの上流側から外れるようにネック部を位置させ、気流案内手段における吹出しを行わない方向への案内部分にネック部から気流が進入しにくくすることにより、ネック部から直進した気流が所望の吹出方向へそのまま無理なく進むこととなり、確実に吹出しを希望する向きにのみ吹出せ、空気調和効果を高められる。
【発明を実施するための最良の形態】
【００１５】
以下、本発明の一実施の形態に係る吹出口装置を図１ないし図４に基づいて説明する。この図１は本実施の形態に係る吹出口装置の平面図、図２は本実施の形態に係る吹出口装置の底面図、図３は図１のＡ−Ａ断面拡大図、図４は図１のＢ−Ｂ断面拡大図である。
【００１６】
前記各図において本実施の形態に係る吹出口装置１は、天井５０上側の天井裏空間でダクト５１と接続されて調和空気を供給される略円筒状のネック部１０と、このネック部１０と連通状態で連結される略方形箱状のチャンバー部２１及びこのチャンバー部２１の室内空間側に一体に取付けられて室内空間側へ向けて拡開状となる略方形開口断面の外コーン部２２を有してなる吹出口本体２０と、この吹出口本体２０内側の略方形開口領域に配設される前記気流案内手段としての中コーン３０とを備える構成である。
【００１７】
前記ネック部１０は、口径寸法を吹出口本体２０のチャンバー部２１側辺寸法の約５０％とされる略円筒体で形成され、開口中心位置を前記チャンバー部２１のネック部１０連結面となる上面の中心位置に対し、ネック部１０口径の３０％程度の寸法分チャンバー部２１の一側辺から遠ざける向きにずらした偏心配置で一体に連結される構成である。このチャンバー部２１の一側辺側の吹出方向は、吹出しを行わない方向としてあらかじめ規定されている。
【００１８】
前記中コーン３０は、吹出口本体２０の外コーン部２２内側面に対向する傾斜面を有する最外周部分をはじめとした、室内空間側へ拡開形状をなす複数の大きさの異なる略方形開口断面の羽根体３１を、中心一致状態として一体に連結形成されてなり、吹出口本体２０内側の方形開口領域に配設される構成である。前記中コーン３０の上部には棒状の支持部材４０が十字状に一体化されて配設され、中コーン３０から突出した先端が吹出口本体２０内側に係合保持される。
【００１９】
中コーン３０をそのコーナ部間の対角線で区分した四つの領域ａ、ｂ、ｃ、ｄは、それぞれ各領域毎に各羽根体３１の傾斜する向きが異なっている。この中で、前記チャンバー部２１の一側辺に近く、吹出しを行わないと規定した方向に向って各羽根体３１が傾斜している領域ｃに対しては、ネック部１０は偏心配置に伴って大きくずれ、ネック部１０の開口領域は下側の領域ｃにほとんど重ならない状態となっている。
【００２０】
次に、前記構成に基づく吹出口装置における気流吹出状態について説明する。あらかじめ、求める吹出パターンに対応させて、ネック部１０を吹出口本体チャンバー部２１に対し偏心配置した状態で吹出口装置１を天井に配設しているものとする。
【００２１】
ネック部１０を偏心させて配設した状態では、ネック部１０の開口領域が中コーン３０における領域ｃの上方にないことから、ネック部１０から吹出口本体２０内に向う調和空気の気流はそのまま下方の中コーン３０における領域ａ、ｂ、ｄに達する。調和空気は中コーン３０の各羽根体３１間、及び外コーン部２２と中コーン３０との間に流れ込み、各羽根体３１の傾斜方向へ案内されることとなり、中コーン３０の三領域の各案内方向に対応する三方向へ気流がほぼ均等に水平横向に吹出す。気流は室内に水平に拡散し、特に冷房の場合、到達距離を確保可能な水平吹出であることから、室内の空気より重い冷気が室内の空気を誘引しつつ室内にまんべんなく拡散し、居住域まで十分に空気調和効果を与えられる。
【００２２】
一方、吹出口本体２０内で、ネック部１０を遠ざけたチャンバー部２１の一側辺側の吹出方向に向う気流はなく、この吹出方向への調和空気の吹出はない。これにより、吹出口近傍の調和空気を吹出したくない場所（煙感知器、熱感知器等）への吹出を避けたり、吹出方向を限定する必要のあるペリメータゾーンなどで吹出を行わせたりする場合に用いることができ、これらの用途に特化した吹出口装置を用いる必要がなく、室内の他の吹出口装置と同じ外観の吹出口装置とすることができ、天井面の統一感が保てる。
【００２３】
また、限られた方向への吹出のために、吹出しのない方向には天井付近への室内空気の誘引量が少なく、汚れた室内空気による天井面の汚染が発生しにくい。さらに、一連のシステム天井として吸込口を近傍に配設されても、吸込口側へ吹出さないようにすることで、吸込口によるショートサーキットを抑えられる。なお、別の三方向からの吹出しとする場合には、吹出口製作段階でネック部１０をチャンバー部２１における吹出させたくない吹出方向側の側辺から前記偏心量分だけ遠ざけた配置に設定する他に、対称形状であることを利用して、吹出口装置１の天井５０への取付段階で吹出口装置１全体を９０°ずつ回転させ、ダクト部１０をずらして遠ざけた側辺位置、すなわち、吹出しを行わないと規定した吹出方向が、あらかじめ設定された方向を向くよう調整した上で、天井５０に取付固定するようにしてもかまわない。
【００２４】
このように、本実施の形態に係る吹出口装置では、吹出口本体２０とネック部１０との連結位置を吹出口本体２０連結面の中心位置からずらして偏心させ、この偏心に基づいてネック部１０から吹出口本体２０内における所定の吹出方向側流路部分への気流進行が抑えられることから、この吹出方向への吹出しを停止させられることとなり、吹出口本体２０に対するネック部１０連結位置の設定変更のみで、室内空間の吹出口配設位置ごとにあらかじめ与えられた条件に合致する気流の吹出方向及びその数を適切に決定でき、簡略な構造で部品点数を増やすこともなくコスト面で優れると共に、気流流路における障害物がなく、抵抗を少なくして騒音の発生も抑えられる。
【００２５】
なお、前記実施の形態に係る吹出口装置において、ネック部１０をチャンバー部２１の一側辺から所定偏心量分だけ遠ざけた配置とし、気流が前記一側辺側の吹出方向に向うのを制限して残りの三方向へ気流を吹出す構成としているが、この他、図５及び図６に示すように、あらかじめチャンバー部２１における隣接する二側辺側の吹出方向へは吹出しを行わないと規定し、ネック部１０をチャンバー部２１の前記二側辺からそれぞれ前記偏心量分（ネック部口径の約３０％）だけ遠ざけて、残りの二方向の各側辺にネック部１０位置を近付けた配置に設定する構成とすることもできる。この場合、中コーン３０における四つの領域ａ、ｂ、ｃ、ｄ（図２参照）のうち、吹出しを行わないと規定した各方向に向って各羽根体３１が傾斜している領域ｃ、ｄに対し、ネック部１０の開口領域はずれて重ならない状態になっていることにより、ネック部１０からの気流はそのまま下方の中コーン３０における領域ａ、ｂに達して、ネック部１０を近付けた側辺側の二方向からのみ気流を吹出せることとなり、室内空間の他の吹出口と同じ外観で直交する二方向のみへの吹出しが確実に行えることとなり、室内空間のコーナ部等に近い位置での吹出口配置等に対応させられる。
【００２６】
また、前記実施の形態に係る吹出口装置において、吹出口本体２０に対するネック部１０位置は固定状態とする構成としているが、これに限らず、吹出口本体２０のネック部１０連結面であるチャンバー部２１上面にネック部１０径より大きい開口孔を穿設する一方、ネック部１０の連結側開口端部周囲に略鍔状のネック基板部を配設し、吹出口本体２０の開口孔の範囲内にネック部１０の開口領域を位置させつつチャンバー部２１上面にネック部１０のネック基板部を摺動自在に取付ける構成とすることもでき、ネック部１０配置位置をチャンバー部２１の開口孔の範囲でずらしても吹出口本体２０とネック部１０との連通部分以外で気密が維持され、吹出口本体２０に対してネック部１０位置をずらしてネック部１０の吹出口本体２０に対する偏心状態を任意に調整できることとなり、取付後や急な設計変更に際してもネック部１０のチャンバー２１上面における偏心配置状態を変えて、吹出方向やこの吹出方向の数を調整でき、汎用性に優れると共に、設定変更もネック部１０を動かすだけで複雑な操作が要らず、作業性に優れる。
【００２７】
また、前記実施の形態に係る吹出口装置において、ネック部１０内には何も配設しない構成としているが、この他、ネック部１０内にプレートシャッター等の中央に開口が位置する風量調整手段を配設する構成とすることもでき、風量調整を行いつつ気流をネック部１０中央に集めて、ネック部１０から吹出口本体２０内への調和空気の流入範囲が狭まることで、中コーン３０の吹出しを行わないと規定した方向に向って各羽根体３１が傾斜している領域へ調和空気が向うのをより確実に防止できることとなり、所望の方向のみに調和空気の気流を正確に分配できる。
【図面の簡単な説明】
【００２８】
【図１】本発明の一実施の形態に係る吹出口装置の平面図である。
【図２】本発明の一実施の形態に係る吹出口装置の底面図である。
【図３】図１のＡ−Ａ断面拡大図である。
【図４】図１のＢ−Ｂ断面拡大図である。
【図５】本発明の他の実施形態に係る吹出口装置の平面図である。
【図６】図５のＣ−Ｃ断面拡大図である。
【符号の説明】
【００２９】
１      吹出口装置
１０    ネック部
２０    吹出口本体
２１    チャンバー部
２２    外コーン部
３０    中コーン
３１    羽根体
４０    支持部材
５０    天井
５１    ダクト
【図１】
2005114243.tif 000003
【図２】
2005114243.tif 000004
【図３】
2005114243.tif 000005
【図４】
2005114243.tif 000006
【図５】
2005114243.tif 000007
【図６】
2005114243.tif 000008